(57)【特許請求の範囲】
【請求項１】
通信手段を介して画像情報を受信する画像情報受信手段と、
前記通信手段を介して送信元と通話を行う通話手段と、
この通話手段によって前記送信元と通話をしている途中で、他の送信元から前記画像情報を送信するための発呼がある場合に、その発呼があることを前記通話をしている通話者に報知する報知手段と、が備えられた通信装置において、
前記送信元と通話をしている途中で、他の送信元からの発呼があることを検出する発呼検出手段と、
この発呼検出手段によって検出された発呼が、画像情報を送信するための発呼であるか否かを判定する発呼判定手段と、
この発呼判定手段により、画像情報を送信するための発呼であると判定された場合は、前記他の送信元との回線を保留することにより前記他の送信元との通信への切替えを禁止する通信切替禁止手段と、
この通信切替禁止手段によって前記他の送信元との通信への切替えが禁止されてからの経過時間を計測する経過時間計測手段と、
この経過時間計測手段によって計測された経過時間が、予め設定された所定の時間に達するまでに前記他の送信元との通信に切り替えられなかった場合は、前記送信元との通話に自動的に復帰する自動復帰手段と、が備えられたことを特徴とする通信装置。
【請求項２】
前記通信切替禁止手段によって前記他の送信元との通信への切替えが禁止された後に、前記送信元との通話、および前記他の送信元から送信される画像情報の受信のいずれかを選択する選択手段が備えられたことを特徴とする請求項１に記載の通信装置。
【請求項３】
前記選択手段には、
前記送信元との通話に復帰するための復帰スイッチと、
前記他の送信元から送信される画像情報の受信を開始するための受信開始スイッチと、が備えられたことを特徴とする請求項２に記載の通信装置。
【請求項４】
前記通信切替禁止手段によって前記他の送信元との通信への切替えが禁止された場合に、前記他の送信元との通信への切替えが禁止されていることを示す報知を行う切替禁止報知手段が備えられたことを特徴とする請求項１ないし請求項３のいずれか１つに記載の通信装置。
【請求項５】
通信手段を介して画像情報を受信する画像情報受信手段と、
前記通信手段を介して送信元と通話を行う通話手段と、
この通話手段によって前記送信元と通話をしている途中で、他の送信元から前記画像情報を送信するための発呼がある場合に、その発呼があることを前記通話をしている通話者に報知する報知手段と、が備えられた通信装置を制御するためのコンピュータプログラムが格納された記憶媒体において、
前記送信元と通話をしている途中で、他の送信元からの発呼があることを検出し、その検出された発呼が、画像情報を送信するための発呼であるか否かを判定し、前記発呼検出手段によって検出された発呼が、画像情報を送信するための発呼であると判定された場合は、前記他の送信元との回線を保留することにより前記他の送信元との通信への切替えを禁止し、その切替えが禁止されてからの経過時間を計測し、その計測された経過時間が、予め設定された所定の時間に達するまでに前記他の送信元との通信に切り替えられなかった場合は、前記送信元との通話に自動的に復帰するように制御するための通信切替制御プログラムを含むコンピュータプログラムが格納されたことを特徴とする記憶媒体。
【発明の詳細な説明】
【０００１】
【発明の属する技術分野】
本発明は、キャッチホン機能を備えた通信装置およびその通信装置を制御するコンピュータプログラムが格納された記憶媒体に関する。
【０００２】
【従来の技術】
従来、上記通信装置として、たとえば、電話機の機能を備えたファクシミリ装置が知られている。
このファクシミリ装置は、交換機側とキャッチホン契約をしている場合において、付属の受話器を用いて相手と通話中に他の相手から通話があると、つまり、キャッチホンが入ると、所定の音を再生してキャッチホンが入ったことを通話者に知らせる。そして、通話者は、フッキング、あるいは、電話機に設けられた所定のボタンを押すなどのキャッチホン操作を行うと、上記他の相手との通話状態に切り替わり、再度、上記キャッチホン操作を行うと、最初の相手との通話状態に戻る。
【０００３】
【発明が解決しようとする課題】
ところで、通話中に他の相手からファクシミリ送信があった場合に、自動的にファクシミリ受信に切り替わる機能を有するファクシミリ装置が知られている。
しかし、このファクシミリ装置では、通話中にキャッチホンが入り、キャッチホン操作を行って回線を切り替え、その切り替えた相手がファクシミリ通信であった場合は、自動的にファクシミリ受信に切り替わってしまうため、元の相手と通話ができなくなってしまうなどという問題がある。
【０００４】
そこで、本発明は、通話中に画像情報の送信があった場合は、その画像情報の受信に切替わらないようにすることができる通信装置および記憶媒体を実現することを目的とする。
【０００５】
【課題を解決するための手段】
本発明は、上記目的を達成するため、請求項１に記載の発明では、通信手段を介して画像情報を受信する画像情報受信手段と、前記通信手段を介して送信元と通話を行う通話手段と、この通話手段によって前記送信元と通話をしている途中で、他の送信元から前記画像情報を送信するための発呼がある場合に、その発呼があることを前記通話をしている通話者に報知する報知手段と、が備えられた通信装置において、前記送信元と通話をしている途中で、他の送信元からの発呼があることを検出する発呼検出手段と、この発呼検出手段によって検出された発呼が、画像情報を送信するための発呼であるか否かを判定する発呼判定手段と、この発呼判定手段により、画像情報を送信するための発呼であると判定された場合は、前記他の送信元との回線を保留することにより前記他の送信元との通信への切替えを禁止する通信切替禁止手段と、この通信切替禁止手段によって前記他の送信元との通信への切替えが禁止されてからの経過時間を計測する経過時間計測手段と、この経過時間計測手段によって計測された経過時間が、予め設定された所定の時間に達するまでに前記他の送信元との通信に切り替えられなかった場合は、前記送信元との通話に自動的に復帰する自動復帰手段と、が備えられたという技術的手段を採用する。
【０００６】
請求項２に記載の発明では、請求項１に記載の通信装置において、前記通信切替禁止手段によって前記他の送信元との通信への切替えが禁止された後に、前記送信元との通話、および前記他の送信元から送信される画像情報の受信のいずれかを選択する選択手段が備えられたという技術的手段を採用する。
【０００７】
請求項３に記載の発明では、請求項２に記載の通信装置において、前記選択手段には、
前記送信元との通話に復帰するための復帰スイッチと、
前記他の送信元から送信される画像情報の受信を開始するための受信開始スイッチと、が備えられたという技術的手段を採用する。
【０００８】
【０００９】
請求項４に記載の発明では、請求項１ないし請求項３のいずれか１つに記載の通信装置において、前記通信切替禁止手段によって前記他の送信元との通信への切替えが禁止された場合に、前記他の送信元との通信への切替えが禁止されていることを示す報知を行う切替禁止報知手段が備えられたという技術的手段を採用する。
【００１０】
請求項５に記載の発明では、通信手段を介して画像情報を受信する画像情報受信手段と、前記通信手段を介して送信元と通話を行う通話手段と、この通話手段によって前記送信元と通話をしている途中で、他の送信元から前記画像情報を送信するための発呼がある場合に、その発呼があることを前記通話をしている通話者に報知する報知手段と、が備えられた通信装置を制御するためのコンピュータプログラムが格納された記憶媒体において、前記送信元と通話をしている途中で、他の送信元からの発呼があることを検出し、その検出された発呼が、画像情報を送信するための発呼であるか否かを判定し、前記発呼検出手段によって検出された発呼が、画像情報を送信するための発呼であると判定された場合は、前記他の送信元との回線を保留することにより前記他の送信元との通信への切替えを禁止し、その切替えが禁止されてからの経過時間を計測し、その計測された経過時間が、予め設定された所定の時間に達するまでに前記他の送信元との通信に切り替えられなかった場合は、前記送信元との通話に自動的に復帰するように制御するための通信切替制御プログラムを含むコンピュータプログラムが格納されたという技術的手段を採用する。
【００１１】
【作用】
請求項１ないし請求項５に記載の発明では、上記発呼検出手段は、上記送信元と通話をしている途中で、他の送信元からの発呼があることを検出し、上記発呼判定手段は、上記発呼検出手段によって検出された発呼が、画像情報を送信するための発呼であるか否かを判定する。そして、上記通信切替禁止手段は、上記発呼判定手段により、画像情報を送信するための発呼であると判定された場合は、上記他の送信元との回線を保留することにより他の送信元との通信への切替えを禁止する。また、上記経過時間計測手段は、上記通信切替禁止手段によって上記他の送信元との通信への切替えが禁止されてからの経過時間を計測し、上記自動復帰手段は、上記経過時間計測手段によって計測された経過時間が、予め設定された所定の時間に達するまでに上記他の送信元との通信に切り替えられなかった場合は、上記送信元との通話に自動的に復帰させる。
つまり、請求項１ないし請求項５に記載の発明によれば、通話中に他の送信元から画像情報を送信するための発呼があった場合は、上記他の送信元との回線を保留することにより他の送信元との通信への切替えを禁止することができる。また、上記通信切替禁止手段によって上記他の送信元との通信への切替えが禁止されてから所定の時間経過しても、何ら切替操作が行われなかった場合は、上記送信元との通話に自動的に復帰することができる。
したがって、従来のように、通話中に画像情報の受信に切り替わってしまうことがないため、最初の送信元との通話に戻ることができる。また、元の通話に切替えるのを忘れた場合であっても、他の送信元との通信に切り替わってしまうのを防止して、元の送信元との通話を確保できる。
【００１２】
特に、請求項２に記載の発明では、上記選択手段は、上記通信切替禁止手段によって上記他の送信元との通信への切替えが禁止された後に、上記送信元との通話、および他の送信元から送信される画像情報の受信のいずれかを選択する。
つまり、通話中に他の送信元から画像情報を送信するための発呼があった場合において、上記他の送信元との通信への切替えが禁止された後であっても、上記選択手段によって、最初の送信元との通話に戻るか、あるいは、他の送信元から送信される画像情報を受信するかを選択することができる。
【００１３】
また、上記選択手段としては、請求項３に記載の発明のように、送信元との通話に復帰するための復帰スイッチ、または、他の送信元から送信される画像情報の受信を開始するための受信開始スイッチを用いる。
たとえば、後述する発明の実施の形態に記載するように、上記復帰スイッチたるフックスイッチをＯＮすることにより、最初の送信元との通話に戻ることができ、または、上記受信開始スイッチたるスタートボタンをＯＮすることにより、他の送信元から送信される画像情報の受信を開始することができる。
【００１４】
【００１５】
また、請求項４に記載の発明では、上記切替禁止報知手段は、上記通信切替禁止手段によって上記他の送信元との通信への切替えが禁止された場合に、上他の送信元との通信への切替えが禁止されていることを示す報知を行う。
したがって、通話者は、上記報知によって、上記他の送信元から送信される画像情報の受信を禁止している状態になっていることを確実に知ることができる。
【００１６】
さらに、請求項５に記載の発明のように、上記送信元と通話をしている途中で、他の送信元からの発呼があることを検出し、その検出された発呼が、画像情報を送信するための発呼であるか否かを判定し、上記発呼検出手段によって検出された発呼が、画像情報を送信するための発呼であると判定された場合は、上記他の送信元との回線を保留することにより他の送信元との通信への切替えを禁止し、その切替えが禁止されてからの経過時間を計測し、その計測された経過時間が、予め設定された所定の時間に達するまでに上記他の送信元との通信に切り替えられなかった場合は、上記送信元との通話に自動的に復帰するように制御するための通信切替制御プログラムを含むコンピュータプログラムが格納された記憶媒体を用いることにより、上記請求項１に記載の通信装置を実現できる。
つまり、上記通信装置は、たとえば、後述する発明の実施の形態に記載するように、通信装置に内蔵されたＣＰＵ、あるいは、通信装置に接続されたコンピュータによって制御されることから、上記記憶媒体としてのＲＯＭを設け、もしくは、上記記憶媒体に格納されているコンピュータプログラムをコンピュータにインストールすることによって、請求項１に記載の発明を実施できるからである。
【００１７】
【発明の実施の形態】
以下、本発明の通信装置および記憶媒体の一実施形態について図を参照して説明する。
なお、以下の実施形態では、本発明の通信装置として、ファクシミリ機能、電話機能、プリンタ機能、コピー機能、イメージスキャナ機能、ＰＣファクス機能および留守録メモリ機能などの複数の機能を有する、いわゆるマルチファンクションタイプのファクシミリ装置を代表に説明する。
【００１８】
最初に、本実施形態のファクシミリ装置の電気的構成について、それをブロックで示す図１を参照して説明する。
ファクシミリ装置３には、通信ユニットＴＵおよびプリンタユニットＰＵが備えられており、両ユニットは、インターフェース４２によって相互接続されている。
通信ユニットＴＵには、相手ファクシミリ装置６１および相手電話機６２との通信制御、イメージスキャナ３７の動作制御、ＰＣ（Ｐｅｒｓｏｎａｌ  Ｃｏｍｐｕｔｅｒ）２間での各種データの入出力制御などを実行するＣＰＵ３０が備えられている。
【００１９】
ＣＰＵ３０は、タイマＴを内蔵しており、通信制御回路４１に接続されている。通信制御回路４１には、ＣＰＵ３０が上記各種制御を行うための制御プログラム３１ａが記憶されたＲＯＭ３１と、このＲＯＭ３１から読出された制御プログラム、イメージスキャナ３７によって読取られた画像情報などを一時的に記憶するＲＡＭ３２と、相手ファクシミリ装置６１のＦＡＸ番号および相手電話機６２の電話番号などを書換可能に記憶するＥＥＰＲＯＭ３３とが接続されている。
また、通信制御回路４０には、電話回線５が接続されたＮＣＵ（Ｎｅｔｗｏｒｋ  Ｃｏｎｔｒｏｌ  Ｕｎｉｔ）３４と、通信モデム６０と、イメージスキャナ３７によって読取られた画像情報を圧縮されたデータに変換するために符号化する符号器３５と、受信された画像情報の符号化されたデータを復号化する復号器３６と、この通信制御回路４１およびプリンタ制御回路４３に各種指示を与えるためのボタン類が設けられた操作パネル２０と、ファクシミリ装置３の機能および動作状態などを表示する液晶表示部（ＬＣＤディスプレイ）３８と、原稿がセットされたことを検出する原稿センサ４０とが接続されている。
【００２０】
さらに、操作パネル２０に設けられたボタン類には、イメージスキャナ３７による原稿の読取開始、または、画像情報の手動受信の開始を指示するためのスタートボタン２１が含まれている。
また、ＮＣＵ３４には、受話器５０が接続されており、その受話器５０をセットする部分に設けられたフックスイッチ５１は、通信制御回路４１に接続されている。
ところで、受話器５０が本発明の通話手段に対応する。また、フックスイッチ５１およびスタートボタン２１が、本発明の選択手段に対応し、フックスイッチ５１が復帰スイッチに対応し、スタートボタン２１が受信開始スイッチに対応し、タイマＴが経過時間計測手段に対応する。
【００２１】
プリンタユニットＰＵには、インクジェットプリンタ４９を制御するプリンタ制御回路４３が備えられており、このプリンタ制御回路４３には、インクジェットプリンタ５０を制御するプログラムを実行するＣＰＵ４４が接続されている。また、プリンタ制御回路４３には、ＣＰＵ４４により実行されるプログラムなどが記憶されたＲＯＭ４５と、ＣＰＵ４４の実行時に使用されるワークメモリや印刷用データを記憶するプリントメモリなどを有するＲＡＭ４６と、ＰＣ２が接続されるＰＣ用インターフェース４７と、印刷用の文字などのベクトルフォントが記憶されたキャラクタジェネレータ（ＣＧ）４８とが接続されている。
【００２２】
次に、本発明の特徴である、通話中に相手ファクシミリ装置６１から発呼があった場合に、ＣＰＵ３０が実行する通信切替制御（以下、通信切替制御１と称する）の内容について、それを示す図２のフローチャートを参照して説明する。
なお、ファクシミリ装置３の使用者は、今、受話器５０を用いて相手電話機６２と通話を行っているものとする。また、ファクシミリ装置６１がファクシミリ送信を行うものとする。
ＣＰＵ３０は、回線の閉結を検出した後（ステップ１０：Ｙｅｓ）、キャッチホンが入ったか否か、つまり、相手電話機６２以外からの通信の割込があったか否かを判定する（ステップ１２）。
【００２３】
そして、ＣＰＵ３０は、キャッチホンが入ったと判定すると（ステップ１２：Ｙｅｓ）、電話交換機６から発せられるキャッチ音を聞いた使用者が、キャッチホンへの切替操作を行ったか否かを判定する（ステップ１６）。この判定は、本実施形態では、使用者がオンフックしたか否か、あるいは、受話器５０や操作パネル２０に設けられたキャッチホン切替用ボタン（図示省略）を押したか否かに基づいて行う。
続いて、ＣＰＵ３０は、キャッチホンへの切替操作を行ったと判定した場合は（ステップ１６：Ｙｅｓ）、回線をキャッチホンに、つまり、通話中に割り込んできた相手の回線に切替える（ステップ１８）。
【００２４】
そして、ＣＰＵ３０は、ステップ１８で切替えられた回線からＣＮＧ信号を検出したか否かを判定する（ステップ２０）。
つまり、ステップ１８で切替えられた回線は、ファクシミリ送信を行おうとしている相手ファクシミリ装置６１に接続された回線であるか否かを判定する。
ここで、ＣＰＵ３０は、ＣＮＧ信号を検出したとすると（ステップ２０：Ｙｅｓ）、回線を相手電話機６２との回線に戻す（ステップ２８）。
これにより、ファクシミリ装置３が、ＣＮＧ信号の検出により、ファクシミリ自動受信のモードに切り替わってしまうのを禁止することができる。
【００２５】
続いて、ＣＰＵ３０は、使用者が再度、キャッチホンへの切替操作を行ったか否かを判定し（ステップ３０）、キャッチホンへの切替操作を行わなかったと判定した場合は（ステップ３０：Ｎｏ）、相手ファクシミリ装置６１との通信への切替えが禁止された状態で相手電話機６２と通話を続ける状態に戻り、ステップ１０へ戻る。
また、ＣＰＵ３０は、ステップ３０において、使用者がキャッチホンへの切替操作を行った、つまり、相手ファクシミリ装置６１との通信を選択したと判定した場合は（ステップ３０：Ｙｅｓ）、画像情報の自動受信に切り替えて、相手ファクシミリ装置６１から送信される画像情報を受信し（ステップ３２）、その画像情報の受信終了を検出すると（ステップ３４：Ｙｅｓ）、ステップ１０へ戻る。
【００２６】
以上のように、本第１実施形態のファクシミリ装置３を用いれば、相手電話機６２と通話をしている途中で相手ファクシミリ装置６１からファクシミリ通信による割込があった場合でも、ファクシミリ自動受信に切り替わるのを禁止して元の相手電話機６２との通話に戻ることができる。
【００２７】
次に、本発明第２実施形態のファクシミリ装置について図３を参照して説明する。
本第２実施形態のファクシミリ装置は、通話中のファクシミリ受信の禁止が設定されてから一定時間、切替操作を行わない場合は、元の通話に自動的に復帰できることを特徴とする。
図２は、本第２実施形態のファクシミリ装置に備えられたＣＰＵによって実行される通信切替制御（以下、通信切替制御２と称する）を一部を省略して示すフローチャートである。
なお、ファクシミリ装置の機械的構成および電気的構成は、第１実施形態のファクシミリ装置３と同じであるため、その説明を省略する。また、ＣＰＵが実行する通信切替制御のうち、第１実施形態と同じ部分の説明は省略する。
【００２８】
ＣＰＵ３０は、相手ファクシミリ装置６１から送信されるＣＮＧ信号の受信を検出したことによってファクシミリ自動受信に切り替わるのを禁止するために、相手ファクシミリ装置６１との回線を保留し（ステップ２２）、その保留を行ってからの経過時間を計測するタイマＴ（図１）のカウントをスタートさせる（ステップ２４）。そして、ＣＰＵ３０は、タイマＴのカウントＴが、予めＣＰＵ３０に内蔵されたメモリなどに設定されている設定時間Ｔ１、たとえば、１０秒に達したと判定すると（ステップ２６：Ｙｅｓ）、回線を相手電話機６１との接続に戻す（ステップ２８）。
つまり、相手ファクシミリ装置６１との回線を保留してから設定時間Ｔ１が経過した場合は、元の相手電話機６１との通話状態に自動的に復帰することができる。
また、ＣＰＵ３０は、タイマＴのカウントＴが設定時間Ｔ１に達する前に（ステップ２６：Ｎｏ）、フックスイッチ５１が押されてＯＮしたと判定した場合は（ステップ２７：Ｙｅｓ）、タイマＴのカウントＴが設定時間Ｔ１に達する前であっても、回線を相手電話機６１との接続に戻す（ステップ２８）。
さらに、ＣＰＵ３０は、タイマＴのカウントＴが設定時間Ｔ１に達する前であり（ステップ２６：Ｎｏ）、かつ、フックスイッチ５１がＯＮしなかった場合において（ステップ２７：Ｎｏ）、操作パネル２０に設けられたスタートボタン２１が押されたと判定した場合は（ステップ３０：Ｙｅｓ）、相手ファクシミリ装置６１から送信される画像情報を受信する（ステップ３２）。
以上のように、本第２実施形態のファクシミリ装置３を用いれば、相手ファクシミリ装置６１の割込を知ってから、うっかり放置して時間が経過した場合であっても、相手ファクシミリ装置６１に対する自動受信に切り替わってしまうのを防止して、元の通話者への切替えを自動的に行うことができるため、元の通話者との通話を確実に確保することができる。
【００２９】
次に、本発明第３実施形態のファクシミリ装置について図４を参照して説明する。
本第３実施形態のファクシミリ装置は、通話中のファクシミリ受信の禁止が設定されたことを使用者に報知できることを特徴とする。
図４は、本第３実施形態のファクシミリ装置に備えられたＣＰＵによって実行される通信切替制御（以下、通信切替制御３と称する）を一部を省略して示すフローチャートである。
なお、ファクシミリ装置の機械的構成および電気的構成は、第１実施形態のファクシミリ装置３と同じであるため、その説明を省略する。また、ＣＰＵが実行する通信切替制御のうち、第１実施形態と同じ部分の説明は省略する。
【００３０】
ＣＰＵ３０は、相手ファクシミリ装置６１から送信されるＣＮＧ信号の受信を検出したことによってファクシミリ自動受信に切り替わるのを禁止するために、相手電話機６１との回線に戻すと（ステップ２８）、ファクシミリ自動受信が禁止されたことを示す報知を行う（ステップ２９）。この報知は、たとえば、ファクシミリ装置３に備えられた所定のＬＥＤを点灯させたり、液晶表示部３８に、たとえば、「ファクシミリ自動受信は禁止されました。」などのメッセージを表示して行う。また、そのようなメッセージをファクシミリ装置３に備えられた音声回路およびスピーカ（図示省略）を用いて音声で再生して行うこともできる。続いて、ＣＰＵ３０は、ファクシミリ自動受信への切替操作が行われなかったと判定した場合は（ステップ３０：Ｎｏ）、ファクシミリ自動受信を禁止した状態を維持して元の通話者との通話状態を設定する。
また、ＣＰＵ３０は、ステップ３０において、ファクシミリ自動受信への切替操作が行われたと判定した場合は（ステップ３０：Ｙｅｓ）、ファクシミリ自動受信に切替て、相手ファクシミリ装置６１から送信される画像情報を受信する（ステップ３２）。
【００３１】
以上のように、本第３実施形態のファクシミリ装置３を用いれば、通話中に割り込んできた相手ファクシミリ装置６１に対するファクシミリ自動受信に切り替わるのを禁止したことを報知できるため、使用者は、その報知によってファクシミリ自動受信が禁止されていることを確実に知ることができる。
【００３２】
なお、上記各実施形態では、図２ないし図４に示した通信切替制御をファクシミリ装置３に内蔵されたＣＰＵ３０が実行する場合を説明したが、ファクシミリ装置３に接続されたＰＣ２（図１）に実行させることもできる。この場合、ファクシミリ装置３およびＰＣ２が、本発明の通信装置として機能する。
上記のように、ＰＣ２に通信切替制御を実行させる場合、それら各制御を実行するためのコンピュータプログラムは、ＣＤ−ＲＯＭやＦＤなどの記憶媒体に記憶され、その記憶媒体に記憶されたコンピュータプログラムは、ＰＣに備えられたドライブを用いてインストールされる。
この場合、上記コンピュータプログラムが、請求項５に記載の通信切替制御プログラムに対応し、上記ＣＤ−ＲＯＭやＦＤなどの記憶媒体が、請求項５に記載の記憶媒体として機能する。
また、上記各実施形態では、本発明の通信装置としてファクシミリ装置を代表に説明したが、ハンズフリーの受話器などの電話機能を備えており、画像情報を受信できるＰＣなど、電話機およびファクシミリ装置の機能を備えている他の通信装置にも本発明を適用することができる。
【００３３】
ところで、電話交換機６から発せられるキャッチ音が、請求項１に記載の報知手段として機能し、ステップ１２が、発呼検出手段として機能し、ステップ２０が発呼判定手段として機能し、図２の通信切替制御１および図４の通信切替制御３におけるステップ２８と、図３の通信切替制御２におけるステップ２２とが、通信切替禁止手段として機能する。
また、ＣＰＵ３０により実行される図３の通信切替制御２におけるステップ２７およびステップ３０が、請求項２に記載の選択手段として機能し、ステップ２４が、請求項１に記載の経過時間計測手段として機能し、ステップ２６およびステップ２８が自動復帰手段として機能する。
さらに、ＣＰＵにより実行される図４の通信切替制御３におけるステップ２９が、請求項４に記載の切替禁止報知手段として機能する。
【００３４】
【発明の効果】
以上のように、請求項１ないし請求項５に記載の発明によれば、送信元と通話をしている途中で他の送信元からの発呼があることを検出する発呼検出手段と、その発呼検出手段によって検出された発呼が画像情報を送信するための発呼であるか否かを判定する発呼判定手段と、その発呼判定手段により、画像情報を送信するための発呼であると判定された場合は、上記他の送信元との回線を保留することにより他の送信元との通信への切替えを禁止する通信切替禁止手段と、この通信切替禁止手段によって他の送信元との通信への切替えが禁止されてからの経過時間を計測する経過時間計測手段と、この経過時間計測手段によって計測された経過時間が、予め設定された所定の時間に達するまでに他の送信元との通信に切り替えられなかった場合は、送信元との通話に自動的に復帰する自動復帰手段と、を備えるため、通話中に他の送信元から送信される画像情報の受信に切り替わってしまうことがないので、最初の送信元との通話に戻ることができる。また、元の通話に切替えるのを忘れた場合であっても、他の送信元との通信に切り替わってしまうのを防止して、元の送信元との通話を確保できる。
【００３５】
特に、請求項２に記載の発明によれば、上記通信切替禁止手段によって上記他の送信元との通信への切替えが禁止された後に、上記送信元との通話、および他の送信元から送信される画像情報の受信のいずれかを選択する選択手段を備えるため、上記他の送信元との通信への切替えが禁止された後であっても、上記選択手段によって、最初の送信元との通話に戻るか、あるいは、他の送信元から送信される画像情報を受信するかを選択することができる。
【００３６】
また、請求項３に記載の発明によれば、送信元との通話に復帰するための復帰スイッチと、他の送信元から送信される画像情報の受信を開始するための受信開始スイッチとを備えるため、スイッチ操作によって通話に戻るか画像情報を受信するかを選択することができる。
【００３７】
【００３８】
また、請求項４に記載の発明によれば、上記通信切替禁止手段によって上記他の送信元との通信への切替えが禁止された場合に、上他の送信元との通信への切替えが禁止されていることを示す報知を行う切替禁止報知手段を備えるため、通話者は、その報知によって、上記他の送信元から送信される画像情報の受信を禁止している状態になっていることを確実に知ることができる。
【００３９】
さらに、請求項５に記載の発明のように、上記送信元と通話をしている途中で、他の送信元からの発呼があることを検出し、その検出された発呼が、画像情報を送信するための発呼であるか否かを判定し、上記発呼検出手段によって検出された発呼が、画像情報を送信するための発呼であると判定された場合は、上記他の送信元との回線を保留することにより他の送信元との通信への切替えを禁止し、その切替えが禁止されてからの経過時間を計測し、その計測された経過時間が、予め設定された所定の時間に達するまでに他の送信元との通信に切り替えられなかった場合は、送信元との通話に自動的に復帰するように制御するための通信切替制御プログラムを含むコンピュータプログラムが格納された記憶媒体という構成であるため、その記憶媒体を通信装置内のＲＯＭとして設け、もしくは、その記憶媒体に格納されているコンピュータプログラムをコンピュータにインストールすることによって請求項１に記載の通信装置を実現することができる。
【図面の簡単な説明】
【図１】  本発明実施形態のファクシミリ装置の電気的構成をブロックで示す説明図である。
【図２】  本発明第１実施形態のＣＰＵ３０により実行される通信切替制御１の内容を示すフローチャートである。
【図３】  本発明第２実施形態のＣＰＵ３０により実行される通信切替制御２の内容を示すフローチャートである。
【図４】  本発明第３実施形態のＣＰＵ３０により実行される通信切替制御３の内容を示すフローチャートである。
【符号の説明】
３    ファクシミリ装置
２１    スタートボタン（受信開始スイッチ）
３０    ＣＰＵ
５０    受話器（通話手段）
５１    フックスイッチ（復帰スイッチ）
６１    相手ファクシミリ装置（他の送信元）
６２    相手電話機（送信元）
Ｔ    タイマ（経過時間計測手段）
【図１】
0003656403.tif 000002
【図２】
0003656403.tif 000003
【図３】
0003656403.tif 000004
【図４】
0003656403.tif 000005